(57)【要約】【課題】毛髪の内部状態を簡便に評価することができ、且つ毛髪処理等による該内部状態の変化を的確に把握することができる毛髪の内部状態評価方法及び内部状態評価装置を提供すること。【解決手段】本発明の毛髪の内部状態評価方法は、毛髪２０に光を第１の偏光子１１で偏光にして照射し、該毛髪２０を透過した光を光路に配された第２の偏光子１２を透過させ、該第２の偏光子１２を透過した透過光の色相を評価する。第１の偏光子１１と第２の偏光子１２とは直交ニコル関係に配置されている。毛髪２０に張力を加えて伸長させ、伸長した該毛髪２０を透過した前記透過光の色相を評価する。【選択図】図１
2010066176.tif 000002
【特許請求の範囲】
【請求項１】
毛髪に光を第１の偏光子で偏光にして照射し、該毛髪を透過した光を光路に配された第２の偏光子を透過させ、該第２の偏光子を透過した透過光の色相を評価する毛髪の内部状態評価方法であって、
前記第１の偏光子と前記第２の偏光子とは直交ニコル関係に配置されており、
前記毛髪に張力を加えて伸長させ、伸長した該毛髪を透過した前記透過光の色相を評価する毛髪の内部状態評価方法。
【請求項２】
毛髪処理前の毛髪についての前記透過光の色相と、該毛髪処理後の該毛髪についての該色相とを比較して、該毛髪処理による該毛髪の損傷度を評価する請求項１記載の毛髪の内部状態評価方法。
【請求項３】
張力の印加による毛髪の伸張率を１０〜３０％とする請求項１又は２記載の毛髪の内部状態評価方法。
【請求項４】
張力の印加による毛髪の伸張率を１０〜３０％の範囲で変化させて、各伸長率における前記透過光の色相の変化程度を評価する請求項１又は２記載の毛髪の内部状態評価方法。
【請求項５】
毛髪に光を第１の偏光子で偏光にして照射し、該毛髪を透過した光を光路に配された第２の偏光子を透過させ、該第２の偏光子を透過した透過光の色相を評価する毛髪の内部状態評価装置であって、
前記第１の偏光子と前記第２の偏光子とは直交ニコル関係に配置されており、
前記毛髪に張力を加えて伸長させた状態で該毛髪を保持する保持手段を備え、該保持手段によって伸長状態で固定された毛髪を透過した前記透過光の色相を評価する毛髪の内部状態評価装置。
【発明の詳細な説明】
【技術分野】
【０００１】
本発明は、偏光を用いて毛髪の内部状態を評価する方法及び装置に関する。
【背景技術】
【０００２】
毛髪は、洗髪、ブロー、ブラッシング等の日常のヘアケア、パーマネント液、ブリーチ剤、毛染め剤等による化学処理、紫外線、自然酸化等の環境要因によって種々の損傷を受け、健康状態が損なわれる場合がある。従来、毛髪の健康状態を判断するため、あるいは毛髪に適用した剤の影響を調べるために、毛髪のミクロ的な観察が行われており、その手法としては、毛髪を横断面方向あるいは縦断面方向に切断し、電子顕微鏡で観察することが行われている。しかし、従来のミクロ的な観察手法は、包埋、切断等の手間がかかるという問題がある。
【０００３】
このような問題を解決すべく、非破壊検査で、毛髪の内部状態を簡便に観察できる方法が提案されている。例えば特許文献１には、毛髪の赤外線による拡大画像を撮り、毛髪内部の特定部位（メデュラ又はコルテックス）を観察する方法が記載されている。毛髪が損傷を受け、ぱさついたり、ハリやコシや艶が無くなったり、枝毛や切れ毛が生じやすくなると、該毛髪の内部にあるコルテックスやメデュラでは、細胞のタンパク質あるいは細胞間の脂質の溶出により空孔あるいは空洞が生じる。特許文献１に記載の方法は、このような毛髪内部の構造変化を赤外線を用いて観察するものである。
【０００４】
また特許文献２には、偏光を用いた毛髪の非破壊検査として、光源の光路上に平行ニコル関係にある一対の偏光子を配置し、該一対の偏光子間における該光路上に毛髪を挿入した状態で該光源から光を照射し、該毛髪を透過した透過光をＣＣＤカメラを用いて検出し、該透過光の強度を測定する方法が記載されている。特許文献２に記載の方法によれば、毛髪内部で散乱する光と、毛髪内部を直線的に透過する透過光とを効率よく分離することができ、これにより該透過光の強度に依存した画像が得られるようになるため、カラーリング剤の脱色・染色状況やヘアートリートメントによる補修プロセスに関する情報が得られるとされている。
【０００５】
【特許文献１】特開２００２−３６０５４２号公報
【特許文献２】国際公開第２００５／０３８４３８号パンフレット
【発明の開示】
【発明が解決しようとする課題】
【０００６】
特許文献１に記載の方法においては、得られた前記拡大画像から毛髪の内部状態を分析するためにはある程度の知識や経験を要し、専門家以外の人が該拡大画像を見ても毛髪の内部状態を把握し難い。即ち、特許文献１に記載の方法は使用できる環境が制限されやすく、より簡便に毛髪の内部状態を評価し得る方法が望まれていた。また特許文献２に記載の方法は、基本的にカラーリング剤によって毛髪が染色されていく様子などを見ることに特化したものであり、毛髪の健康状態を判断する手段として使用することは意図していない。また特許文献２に記載の方法は、一対の偏光子を平行ニコル関係に配置しているため、背景が白一色となり、毛髪構造の違いがわかりにくく、毛髪の内部状態の変化を十分に捉えきれないおそれがある。
【０００７】
従って本発明の目的は、毛髪の内部状態を簡便に評価することができ、且つ毛髪処理等による該内部状態の変化を的確に把握することができる毛髪の内部状態評価方法及び内部状態評価装置を提供することにある。
【課題を解決するための手段】
【０００８】
本発明者らは、非破壊検査で毛髪の内部状態を評価する方法について種々検討した結果、直交ニコル関係にある一対の偏光子を用いて毛髪を透過した透過光（複屈折による干渉光）の色相を評価した場合、毛髪のパーマネント液等による処理回数と該色相との間に相関があることを知見した。また、毛髪に張力を加えて伸長させてから該毛髪についての前記透過光の色相を評価した場合、張力を加えない場合に比して該色相の変化が明確になることを知見した。
【０００９】
本発明は、前記知見に基づきなされたものであり、毛髪に光を第１の偏光子で偏光にして照射し、該毛髪を透過した光を光路に配された第２の偏光子を透過させ、該第２の偏光子を透過した透過光の色相を評価する毛髪の内部状態評価方法であって、前記第１の偏光子と前記第２の偏光子とは直交ニコル関係に配置されており、前記毛髪に張力を加えて伸長させ、伸長した該毛髪を透過した前記透過光の色相を評価する毛髪の内部状態評価方法を提供することにより、前記目的を達成したものである。
【００１０】
また本発明は、毛髪に光を第１の偏光子で偏光にして照射し、該毛髪を透過した光を光路に配された第２の偏光子を透過させ、該第２の偏光子を透過した透過光の色相を評価する毛髪の内部状態評価装置であって、前記第１の偏光子と前記第２の偏光子とは直交ニコル関係に配置されており、前記毛髪に張力を加えて伸長させた状態で該毛髪を保持する保持手段を備え、該保持手段によって伸長状態で固定された毛髪を透過した前記透過光の色相を評価する毛髪の内部状態評価装置を提供することにより、前記目的を達成したものである。
【発明の効果】
【００１１】
本発明の毛髪の内部状態評価方法及び内部状態評価装置によれば、毛髪の内部状態を簡便に評価することができ、且つ毛髪処理等による該内部状態の変化を的確に把握することができる。
【発明を実施するための最良の形態】
【００１２】
以下本発明を、その好ましい実施形態（実施態様）に基づいて、図面を参照しながら説明する。図１には、本実施形態の毛髪の内部状態評価方法（以下、評価方法ともいう）で用いる毛髪の内部状態評価装置（以下、評価装置ともいう）の概略構成が示されている。本実施形態の評価装置は、毛髪２０に光を第１の偏光子１１で偏光にして照射し、該毛髪２０を透過した光を光路に配された第２の偏光子１２を透過させ、該第２の偏光子１２を透過した透過光の色相を評価する装置であり、図１に示すように光源１０、第１の偏光子１１、第２の偏光子１２、及び前記透過光の色相を評価する評価手段を備えている。
【００１３】
前記評価手段は、対物レンズ等の受光素子１３を含んで構成されている。受光素子１３には図示しない光検出手段、Ａ／Ｄ変換器、ＣＰＵ及び画像表示手段（ＣＲＴモニタ、液晶モニタ等）が接続されている。光検出手段は受光した光をその光量に対応した輝度情報を示す電気信号に変換し、この電気信号化された輝度情報はＡ／Ｄ変換器によってデジタルデータに変換される。ＣＰＵはこのデジタルデータに基づいて画像データを作成し、作成された該画像データが画像表示手段によって表示される。こうした一連の処理は、市販の画像処理ソフトを用いて行うことができる。
【００１４】
本実施形態の評価装置は、図１に示すように、毛髪２０に張力を加えて伸長させた状態で該毛髪２０を保持する保持手段として、一対の保持具１４ａ，１４ｂを備えており、該保持手段によって伸長状態で固定された毛髪２０を透過した前記透過光の色相を、前記評価手段によって評価する。一対の保持具１４ａ，１４ｂは、それぞれ、相対向する２枚の板状部材からなる把持部で毛髪２０を挟持可能になされており、且つ該保持部と反対側の端部が図示しないエアシリンダに接続されている。一対の保持具１４ａ，１４ｂで毛髪２０の長さ方向の両端を把持した状態で、該エアシリンダを動作させて両保持具１４ａ，１４ｂを毛髪２０の長さ方向に沿って互いに離れる方向に移動させることにより、毛髪２０に張力を加えてこれを伸長させることができる。尚、保持具１４ａ，１４ｂの移動手段はエアシリンダに限定されず、他に油圧シリンダや、電動モータを用いたボールネジプレス等の機器を用いても良い。
【００１５】
本実施形態の被評価物である毛髪２０は、図１に示すように、第１の偏光子１１と第２の偏光子１２との間に挿入される。光源１０からは無偏光の光が照射される。偏光子１１，１２としては、偏光板、偏光プリズム等を用いることができる。尚、図１では、偏光子１１，１２と毛髪２０との間に隙間があるが、偏光子１１，１２で直接毛髪２０を挟んで固定しても良い。
【００１６】
評価装置における毛髪２０の設置方法は特に制限されないが、評価データの安定性を高める観点から、毛髪２０をその長さ方向と直交する径方向の上下からスライドガラス等で挟み込み（図示せず）、且つその状態で該径方向の毛髪断面の長軸Ｌが水平になるように、該毛髪２０を評価装置に設置することが好ましい。また、評価装置に毛髪２０を設置する場合、毛髪２０と２枚の偏光子１１，１２と直交する方向（図１の上下方向）とのなす角度（毛髪設置角度）は４５°とした方が、該毛髪設置角度を０°又は９０°とした場合よりも測定感度が高くなるため好ましい。
【００１７】
第１の偏光子１１と第２の偏光子１２とは直交ニコル関係に配置されている。即ち、２枚の偏光子１１，１２は、それぞれの偏光軸が直交するように対向配置されている。より具体的には、本実施形態の評価装置においては、光源１０からの照射光の光路上に、該照射光を直線偏光化する第１の偏光子１１と、該第１の偏光子１１の偏光方向と直交ニコルの関係を有する第２の偏光子１２とが配されている。従って、これら２枚の偏光子１１，１２間に被評価物が何も置かれていないブランクの状態で、光源１０から実質的に無偏光の照射光（例えば白色光）が照射された場合、第１の偏光子１１を透過した直線偏光の透過率は理論的には該照射光の５０％以下となり、更に該直線偏光は第２の偏光子１２を透過できないため、受光素子１３まで到達する光は殆どなくなり、前記画像表示手段によって表示される画像は略黒一色の消光状態となる。
【００１８】
図１に示すように２枚の偏光子１１，１２間に被評価物である毛髪２０を挿入し、光源１０より光を照射して第１の偏光子１１、毛髪２０及び第２の偏光子１２を順次透過させ、第２の偏光子１２を透過した透過光の色相（色合い）を、受光素子１３を介して観察する。すると、毛髪２０が無いブランクの状態では消光状態で略黒一色であったものが、毛髪２０の存在箇所に様々な色相の有色部分が生じる。これは、例えば毛髪の内部に存在するミクロフィブリル中のタンパク質が複屈折を示すことによるものと考えられる。即ち、第１の偏光子１１を透過した直線偏光が毛髪２０の内部に入ると、該内部に存在するミクロフィブリル中の複屈折物質によって複屈折が発生し、その干渉色（光）が第２の偏光子を通過し、前記評価手段によって様々な色相の干渉色が観察できる。本実施形態の評価方法において観察対象としている、「第２の偏光子を透過した透過光の色相」とは、この複屈折によって生じた干渉色（光）の色相である。該干渉色の色相は、ミクロフィブリル中の複屈折物質の結晶構造や配向によって異なるものと考えられる。
【００１９】
一方、例えば毛髪にパーマや染色や脱色等の化学処理（毛髪処理）を施すと、パーマネント液等の薬液によって毛髪が酸化又は還元処理されることにより、毛髪内部に存在するミクロフィブリル中の複屈折物質に結晶構造や配向の変化が生じる。従って、上述した「第２の偏光子を透過した透過光の色相」（前記干渉色の色相）は、毛髪の酸化又は還元処理（毛髪処理）の前後で異なる結果となる。
【００２０】
また、前記干渉色の色相変化の原因である、ミクロフィブリル中の複屈折物質の結晶構造や配向の変化は、本来毛髪にとって好ましくないものであり、斯かるタンパク質の結晶構造や配向の変化は、酸化又は還元処理（毛髪処理）によって毛髪が受けた損傷として捉えることができる。従って、例えば、パーマ等の毛髪処理前の毛髪についての前記干渉色の色相と、該毛髪処理後の該毛髪についての該色相とを比較することにより、該毛髪処理による該毛髪の損傷度を評価することが可能となる。また例えば、毛髪の所定部位（例えば根元部、中央部、先端部）それぞれについて前記干渉色の色相変化を観察することで、毛髪の損傷度の分布が得られる。
【００２１】
前記干渉色の色相変化（第２の偏光子を透過した透過光の色相変化）は、色相環上の変化として捉えることができる。例えば干渉色の色相を色相環上で数値化することにより、毛髪の酸化又は還元処理（毛髪処理）前後での干渉色の色相変化を色相環上における数値変化で表すことができる。斯かる色相変化を数値化することで色相の変化率を求めることができるようになるため、毛髪の損傷度をより客観的に示すことが可能となる。色相環としては、例えばマンセル表色系で規定される色相環（ＪＩＳ  Ｚ８７２１）を用いることができる。前記干渉色の色相（色相環上の数値、マンセル値）は、例えば、市販の色彩計を用いて常法に従って測定することができる。
【００２２】
前記干渉色の色相変化は、２枚の偏光子１１，１２の配置形態に影響される。本発明者らは、２枚の偏光子の配置形態について種々検討した結果、上述したように直交ニコルを採用すると、他の配置形態を採用した場合に比して前記干渉色の色相変化がより鮮明になり、毛髪の内部状態の変化を捉えやすくなることを知見した。図２には、斯かる知見を示す図が示されている。図２は、２枚の偏光子の配置形態が異なる以外は同一の観察条件（後述する実施例での観察条件と同じ）で観察された、２種類の毛髪サンプル（未処理毛、化学処理毛）についての前記干渉色の色相（第２の偏光子を透過した透過光の色相）の撮像結果を示す図であり、図２（ａ）は、本発明の評価方法に従って直交ニコルを採用して撮像した図、図２（ｂ）は、本発明の範囲外の評価方法である平行ニコルを採用して撮像した図である。尚、図２において、未処理毛は、パーマ等の化学処理が全く施されておらず目視観察で損傷が特に認められない毛髪であり、化学処理（ダメージ）毛は、１年間に亘ってパーマ・ブリーチ等の毛髪処理を３回実施した毛髪である。図２では未処理毛は１本、化学処理毛は２本示されている。
【００２３】
図２（ｂ）に示すように、２枚の偏光子を平行ニコル関係に配置した場合、本来内部状態に違いがあるはずの未処理毛と化学処理毛とで、第２の偏光子を透過した透過光の色相（前記干渉色の色相）は殆ど同じようなものとなった。即ち、２枚の偏光子の配置形態として平行ニコルを採用した場合、該平行ニコルに起因して観察画像の背景部分（毛髪以外の部分）が白一色となるため、未処理毛と化学処理毛との前記干渉色についての色相環上での数値の差が小さいと、毛髪の内部状態の変化を十分に捉えきれないおそれがある。これに対して、図２（ａ）に示す本実施形態のように、２枚の偏光子を直交ニコル関係に配置した場合、未処理毛と化学処理毛との前記干渉色の色相の違いが鮮明になり、毛髪の内部状態の変化に応じた色相変化を観察できるため、平行ニコルを採用した場合に比して毛髪の内部状態の変化を見逃すおそれが少ない。また、２枚の偏光子を直交ニコル関係に配置することによって、図２（ａ）に示すように背景部分は消光されて略黒一色となるため、毛髪内部の状態を示す様々な色相をコントラスト良く観察することができる。
【００２４】
本実施形態においては、毛髪を評価するに際し、前記一対の保持具１４ａ，１４ｂを用いて該毛髪に張力を加えてこれを伸長させる。即ち、前記干渉色の色相を観察する前に、毛髪にその長さ方向に張力を加えてこれを伸長させ、この伸長状態の毛髪を透過した前記透過光の色相（前記干渉色の色相）を評価する。このように色相観察の前に毛髪に張力を加えることにより、色相の変化が明確になる。特に毛髪に毛髪処理等によるダメージ部がある場合は、ダメージ部が無い場合に比べて色相の変化具合がより強調される傾向がある。このような、毛髪を伸長させることによる前記干渉色の色相変化の明確化の理由は定かではないが、毛髪の長さ方向に張力を加えてこれを伸長させることにより、伸長前に比べて毛髪の結晶構造や配向状態が集約して均一化し、これにより前記干渉色の色相の変化具合がより強調されるものと推察される。
【００２５】
毛髪に張力を加えて伸長させるには、図１に示すように毛髪の両端を把持してその長さ方向に沿って引っ張れば良い。毛髪に張力を加えるのは２枚の偏光子１１，１２間に挿入する前（評価装置に設置する前）でも良く、あるいは本実施形態の評価装置を用いた場合のように、評価装置上で毛髪に張力を加えてこれを伸長させつつ該毛髪の評価を行っても良い。毛髪に加える張力は特に制限されないが、張力が大きいほど、即ち、毛髪の伸長率が高いほど、上述した効果が得られやすくなる。張力の印加による毛髪の伸張率は１０〜３０％とすることが好ましい。ここで、毛髪の伸長率（％）は次式により求められる。  伸長率（％）＝〔｛（張力をかけて伸長させた後の毛髪の長さ）−（張力をかける前の毛髪の長さ）｝／（張力をかける前の毛髪の長さ）〕×１００
【００２６】
本発明の評価方法及び評価装置は、日常のヘアケア、パーマや染毛等の化学処理（毛髪処理）、紫外線や自然酸化等の環境要因等によって毛髪が受けた損傷度の評価に利用することができ、これによりシャンプー、リンス、コンディショナー等の各種ヘアケア製品、パーマネント液、ブリーチ剤、染毛剤等の化学処理剤等の商品開発に応用することができる。本発明の評価方法及び評価装置に適用可能な化学処理剤（毛髪処理剤）は特に制限されず、市販のものを適宜用いることができる。市販のブリーチ剤としては、例えばホーユー社製のナチュラルブラウン（商品名）を用いることができ、またパーマネント液としては、例えば市販のチオグリコル酸系のパーマ剤を用いることができる。また本発明の評価方法及び評価装置は、人の髪の評価に特に好適に用いることができるが、眉毛、まつげ、ひげ等の毛髪以外の体毛、動物の毛の評価にも適用できる。
【００２７】
特に本発明の評価方法及び評価装置は、前記干渉色の色相を観察する手法を採用していることにより、特許文献２に記載の方法のように平行ニコルを採用して毛髪を透過した透過光の強度を測定する場合に比して、毛髪の内部状態の色相（前記干渉色）を使って視覚的にわかりやすく示すことができるため、利用しやすいものである。また、上述したように色相環を利用することで前記干渉色の色相を数値化することが可能であり、これにより毛髪の損傷度合をより客観的に示すことができる。
【００２８】
本発明の評価方法及び評価装置は、例えば店頭やイベント等において行われる毛髪ダメージの診断に利用することができる。具体的には例えば、予め損傷度の異なる（パーマ処理等の毛髪処理回数が異なる）多数の毛髪サンプルについて、上述した本方法により前記干渉色の色相を観察し、その結果について色相環を用いて数値化しデータとして記録しておく。そして、毛髪ダメージの診断において受診者から毛髪サンプルを採取し、この毛髪サンプルについて本方法により前記干渉色の色相を評価し、その評価結果を前記データと照らし合わせることで、該毛髪サンプルの損傷度を診断することができる。診断結果は、モニタ−によって色付きで視覚的にわかりやすく表示されるので、受診者はこの診断結果を受けて自分の毛髪のダメージレベルを十分に把握することができ、毛髪のリペアやエイジングに対する意識をしっかりと持つことができる。
【００２９】
また、前記したように損傷度の異なる多数の毛髪サンプルについての色相データを予め用意しておかなくても、ダメージが大きい毛髪サンプルは前記干渉色の色相の変化程度が大きいため、これを利用して、該毛髪サンプルの伸張率を変化させることによっても、毛髪ダメージの診断を行うことが可能である。具体的には例えば、上述した張力の印加による毛髪の伸張率を１０〜３０％の範囲で変化させて、各伸長率における前記透過光の色相（前記干渉色の色相）の変化程度を評価することによって、毛髪ダメージの診断等を行うことができる。
【実施例】
【００３０】
以下、本発明を実施例により更に具体的に説明するが、本発明は斯かる実施例に限定されるものではない。
【００３１】
（毛髪サンプルの作製）
パーマネント液、毛染め剤等による化学処理を一切行っておらず、目視観察によるつや感、感触などから特に損傷が認められない毛髪サンプルを複数本用意し、該毛髪サンプルに化学処理（毛髪処理）を施して複数本の毛髪サンプルを作製した。該化学処理はブリーチ処理７回及びパーマ処理３回からなり、各処理の間には洗髪・乾燥処理を行った。
【００３２】
〔実施例１〕
上記のようにして作製した化学処理済みの毛髪サンプルについて、下記＜色相の観察方法＞に従って前記透過光の色相（前記干渉色の色相）を観察し、デジタルカラーカメラ（ＣＩＳ社製、型番VCC-F32U29CL、画素数２００万）を用いて撮像した。毛髪サンプルの伸長率は１０％とした。カメラ架台としてモリテックス社製のMS-804を用いた。画像処理には画像処理ソフト（コグネックス社製、VisionPro Ver4.3）がインストールされたパーソナルコンピュータ（DELL社製、OptiPlex745）を用いた。各毛髪サンプルについての前記干渉色の色相を前記画像処理ソフトを用いて数値化し、色相値を求めた。該色相値は、複数本（３本）の毛髪サンプルの色相値の平均値とした。前記色相の数値化には、赤を基準（０）とした色相環で、反時計回りに一周し、最大値を２５５として、元に戻る赤を再び０とする方法を用いた。
【００３３】
＜色相の観察方法＞
図１に示す概略構成を有する、２枚の偏光子が直交ニコル関係に配置された評価装置を用い、被評価物である毛髪サンプルに張力を加えて伸長させ、この伸長状態の毛髪サンプルを２枚の偏光子で挟んで固定したものを、該評価装置の光学ステージ上に載置されたプレパラート上に載置した。毛髪サンプルの伸長は、該サンプルの長さ方向の両端をそれぞれクリップで把持し且つ該クリップを手で持って該長さ方向に引っ張ることにより行い、色相の観察中はその伸長状態を維持した。評価装置の各構成部材は次の通りである。光源；ハロゲン照明（モリテックス社製、型番MHF-100L、１００Ｗ）、光学ステージまでの伝送ファイバー；（モリテックス社製、型番MSG6-1100S）、偏光子；（モリテックス社製、型番TDPL-6301000）、受光素子；マイクロレンズ（モリテックス社製、型番MML6-HR65D、15インチモニター倍率で200倍）、光学ステージ（X,Y）；（シグマ光機社製、TAM-1202SR）、光学ステージ（θ）；（シグマ光機社製、KSPB-1606MH）。
【００３４】
〔実施例２及び３並びに比較例１〕
毛髪に加える張力を種々変更して毛髪サンプルの伸長率を変更した以外は実施例１と同様にして前記色相を観察し、色相値を求めた。実施例２は伸長率２０％、実施例３は伸長率３０％、比較例１は伸張率０％とした。
【００３５】
〔実施例４〜６及び比較例２〕
化学処理を行っていない毛髪サンプルを使用し且つ毛髪に加える張力を種々変更して毛髪サンプルの伸長率を変更した以外は実施例１と同様にして前記色相を観察し、色相値を求めた。実施例４は伸長率１０％、実施例５は伸長率２０％、実施例６は伸長率３０％、比較例２は伸張率０％とした。
【００３６】
図３（ａ）には、比較例１及び実施例１〜３で得られた化学処理（毛髪処理）有りの毛髪サンプルについての前記干渉色の色相値（第２の偏光子を透過した透過光の色相値）、図３（ｂ）には、比較例２及び実施例４〜６で得られた化学処理無しの毛髪サンプルについての該色相値がそれぞれ棒グラフで示されている。また図４は、色相値の変化率（色相変化率）と各実施例における毛髪サンプルの伸長率との関係を示すグラフであり、図４（ａ）は、実施例１〜３で得られた化学処理有りの毛髪サンプルについてのグラフ、図４（ｂ）は、実施例４〜６で得られた化学処理無しの毛髪サンプルについてのグラフである。ここで、色相変化率は、伸長率０％のときの色相値（比較例１及び２）と毛髪サンプルを伸長させたときの色相値（各実施例）との差分の割合であり、下記式から求められる。尚、下記式において、２５５は、色相の数値化に用いた色相環の１周分の最大値であり、固定値である。また、前記差分が負の値となった場合のために、下記式で求められる色相変化率は絶対値とする。  色相変化率 ＝ ｜ [（伸張率０％のときの色相値）−（所定の伸張率のときの色相値）]／２５５ ｜
【００３７】
図３から明らかなように、化学処理の有無によらず、毛髪サンプルの伸張率が変化（増加）すると前記干渉色の色相値が変化（減少）する傾向があり、伸長率によって毛髪の内部状態が異なることがわかる。また図４から明らかなように、化学処理の有無によらず、伸張率が増加すると色相変化率も増加する傾向があり、特に図４（ａ）と図４（ｂ）との比較から明らかなように、化学処理有りの場合、即ち毛髪に化学処理によるダメージ部がある場合は、化学処理無しの場合に比べて、色相の変化具合がより強調される傾向がある。尚、実施例１〜３では、毛髪サンプルの化学処理の回数が１０回（ブリーチ処理７回及びパーマ処理３回）であったが、化学処理の回数や内容が異なっても上記と同様の傾向があることを本発明者らは確認している。以上の結果から、本実施例のように２枚の偏光子を直交ニコル関係に配置し且つ毛髪に張力を加えて伸長させた状態で前記干渉色の色相を評価することにより、該色相の変化を見逃すおそれが低減して該変化を的確に把握することが可能となり、毛髪処理等による毛髪の損傷度を感度良く且つ簡便に評価することが可能となることが明らかである。
【図面の簡単な説明】
【００３８】
【図１】図１は、本実施形態の毛髪の内部状態評価装置の概略構成を示す図である。
【図２】図２は、毛髪の内部状態の撮像結果を示す図であり、図２（ａ）は、本発明の評価方法に従って直交ニコルを採用して撮像した図、図２（ｂ）は、本発明の範囲外の評価方法に従って平行ニコルを採用して撮像した図である。
【図３】図３（ａ）は、比較例１及び実施例１〜３で得られた化学処理有りの毛髪サンプルについての干渉色の色相値、図３（ｂ）は、比較例２及び実施例４〜６で得られた化学処理無しの毛髪サンプルについての該色相値を示すグラフである。
【図４】図４は、色相変化率と各実施例における毛髪サンプルの伸長率との関係を示すグラフであり、図４（ａ）は、実施例１〜３で得られた化学処理有りの毛髪サンプルについてのグラフ、図４（ｂ）は、実施例４〜６で得られた化学処理無しの毛髪サンプルについてのグラフである。
【符号の説明】
【００３９】
１０  光源
１１  第１の偏光子
１２  第２の偏光子
１３  受光素子
１４ａ，１４ｂ  保持具（保持手段）
２０  毛髪
【図１】
2010066176.tif 000003
【図３】
2010066176.tif 000004
【図４】
2010066176.tif 000005
【図２】
2010066176.tif 000006